(57)【特許請求の範囲】
【請求項１】
コンクリート製とした杭本体（１）の頭部上面（１ａ）に標識（２）を設けたものとし、この標識（２）の先端部（２ａ）の前方位置にあたる杭本体（１）の側部面（１ｂ）に保護部材（３）を設けたことを特徴とする標識杭。
【請求項２】
前記杭本体（１）を略四角柱形状とし、前記標識（２）の先端部（２ａ）を頭部上面（１ａ）の一辺に対向するようにして設けたものとしたことを特徴とする請求項１記載の標識杭。
【請求項３】
前記杭本体（１）を略四角柱形状とし、前記標識（２）の先端部（２ａ）を頭部上面（１ａ）の角部に対向するようにして設けたものとしたことを特徴とする請求項１記載の標識杭。
【発明の詳細な説明】
【０００１】
【発明の属する技術分野】
この発明は、市街地や宅地造成地などにおいて、土地の境界等を明示するのに用いられる標識杭に関するものである。
【０００２】
【従来の技術】
従来、この種の標識杭は、例えば図９〜１２に示したように、杭本体２１の頭部上面２１ａに適宜の境界等を明示する標識２２を付し、頭部を数センチ程度地上に突出した状態で埋設するものとしている。杭本体２１は、花崗岩、大理石、コンクリート等を用いて形成したものとしている。さらに、杭本体２１は、その地下埋設部分に凹部２３を形成すると共に、この凹部２３に連結部材２４を接続させ、連結部材２４を埋設固定するようにしている。また、標識２２は、図に示した例では三角印としたものとしているが、その他矢印、直線、十字、あるいは適宜の文字等を頭部上面２１ａに凹設したものとすることができる（特許文献１参照）。
【０００３】
【特許文献１】
特開平８−１７０９１５号公報（第２頁、図１〜４）
【０００４】
【発明が解決しようとする課題】
上記従来の標識杭は、連結部材２４の存在により、埋設するための穴を深く掘る必要がなく、短形状に形成されるので、設置するのが簡単であったり、運搬や保管が容易にできるという利点を有している。また、この従来の標識杭は、コンクリート製にした場合には、製造コストが安くつき、量産もし易いために、汎用できるという利点を有している。
【０００５】
しかしながら、従来の標識杭は、杭本体２１の頭部上面２１ａに凹設した三角等の標識２２の先端部２２ａの前方位置にあたる部分が、コンクリート製の場合は非常に欠け易く、標識２２までも欠けてしまって、境界等が確認できなくなったり、不明瞭となってしまうという問題点を有していた。特に、その標識２２で土地の境界を明示する場合には、その境界が確認できなくなったり、不明瞭となるため、当事者間に土地紛争を招くという重大な問題点を抱えていた。
【０００６】
そこで、この発明は、上記従来の問題点を解決することをその課題としており、杭本体をコンクリート製にした場合に、その杭本体の頭部上面に設けた標識の先端部の前方位置にあたる部分が欠け難いものとし、標識が欠けることなく、境界等が確認できなくなったり、不明瞭となってしまうことのない標識杭を提供することを目的としてなされたものである。
【０００７】
【課題を解決するための手段】
そのため、この発明の標識杭は、コンクリート製とした杭本体１の頭部上面１ａに標識２を設けたものとし、この標識２の先端部２ａの前方位置にあたる杭本体１の側部面１ｂに保護部材３を設けたものとしている。
【０００８】
そして、この発明の標識杭は、前記杭本体１を略四角柱形状とし、前記標識２の先端部２ａを頭部上面１ａの一辺に対向するようにして設けたものとしたり、その先端部２ａを頭部上面１ａの角部に対向するようにして設けたものとしている。
【０００９】
【発明の実施の形態】
以下、この発明の標識杭の実施の形態を、図面に基づいて詳細に説明する。
【００１０】
この発明の標識杭は、コンクリート製とした略四角柱形状の杭本体１の頭部上面１ａに適宜の境界等を明示する標識２を設けたものとしている。この標識２の先端部２ａの前方位置にあたる杭本体１の側部面１ｂに保護部材３を設けたものとしている。そして、この標識２の先端部２ａは、図１に示したように、頭部上面１ａの一辺に対向するようにして設けたものとしたり、図５に示したように、頭部上面１ａの角部に対向するようにして設けたものとしている。
【００１１】
前記杭本体１は、図に示したものでは、約７〜１０ｃｍ角の略四角柱形状としており、高さを約５０〜６０ｃｍとしているが、この寸法に限定されるものではない。特に高さは、使用場所に応じて高低差の大きいものとすることができる。また、杭本体１の頭部上面１ａと側部面１ｂの交差部には、面取り部１ｃを形成したものとすることができる。
【００１２】
前記標識２は、図に示したように、矢印にすることができるが、その他三角印、直線、十字、あるいは適宜の文字等とすることができる、また、この標識２は、図に示したものでは、頭部上面１ａに凹設したものとしているが、凸設したり、平面上に記入するなどして設けたものとしてもよい。
【００１３】
前記保護部材３は、アルミニウムやステンレス等の金属板、合成樹脂板、セラミックス板などからなり、標識２の先端部２ａが、図１に示したように、頭部上面１ａの一辺に対向するようにして設けられている場合には、図２に示したように、この一辺よりも短くした長辺を有する横長四角形状の平板４の両端部を内側に曲げるなどして食い込み部５を形成したものとしている。そして、この保護部材３は、平板４の表面を杭本体１の側部面１ｂから露出するようにし、食い込み部５を杭本体１の内部に食い込むようにして、杭本体１の側部面１ｂに設けたものとしている。なお、食い込み部５は、杭本体１の内部に食い込ませた場合に、杭本体１の頭部上面１ａに露出しないように、その上辺部５ａを平板４の上辺部４ａより低位置になるものとするのが好ましい。また、食い込み部５の前記曲げ角度は、９０度より大きくするのが、杭本体１の内部に食い込ませ易く、また食い込ませた状態から外れ難くなり、好ましいものとなる。
【００１４】
さらに、前記保護部材３は、標識２の先端部２ａが、図５に示したように、頭部上面１ａの角部に対向するようにして設けられている場合には、図６に示したように、この角部近辺を被うように９０度に折り曲げた折曲板６の両端部をさらに内側に曲げるなどして食い込み部７を形成したものとしている。そして、この保護部材３は、折曲板６の表面を杭本体１の側部面１ｂから露出するようにし、食い込み部７を杭本体１の内部に食い込むようにして、杭本体１の側部面１ｂと側部面１ｂが交差する角部に設けたものとしている。なお、食い込み部７は、杭本体１の内部に食い込ませた場合に、杭本体１の頭部上面１ａに露出しないように、その上辺部７ａを折曲板６の上辺部６ａより低位置になるものとするのが好ましい。また、食い込み部７の前記曲げ角度は、９０度程度とするのが、杭本体１の内部に食い込ませ易く、また食い込ませた状態から外れ難くなり、好ましいものとなる。
【００１５】
なお、この発明の標識杭では、標識２を前記したように杭本体１の頭部上面１ａに凹設したり、凸設したり、平面上に記入するなどして設けたものとすることができるが、凹設した場合には、標識２の前方位置にあたる部分が弱くなり、特に欠け易くなるので、杭本体１の側面部１ｂに保護部材３を設けたことによる保護がより効果的なものとなる。
【００１６】
次に、この発明の標識杭の製作方法についての実施の形態を、図面に基づいて詳細に説明する。
【００１７】
先ず、図１に示したように、標識２の先端部２ａが頭部上面１ａの一辺に対向するようにして設けた標識杭では、図３に示したような、四角板１１の三辺側部に杭本体１の面取り部１ｃを形成する傾斜凸型１２ａを設け、四角板１１の中央に、前記傾斜凸型１２ａを設けていない一辺側に対向するようにして標識２を形成する凸型１２ｂを設けた底型１２を用意する。そして、図４に示したように、保護部材３の食い込み部５を底型１２内方に向けて、この底型１２の傾斜凸型１２ａを設けていない一辺側に、保護部材３の平板４の上辺部４ａを当接させる。次に、杭本体１の側部面１ｂを形成する四角筒型１３を、前記底型１２の四角板１１の四辺側部に接触するようにして、この底型１２に被せる。そこで、前記四角筒型１３にコンクリートを流し込んで固化させ、型抜きすれば、図１に示したような標識杭を製作することができる。
【００１８】
また、図５に示したように、標識２の先端部２ａが頭部上面１ａの角部に対向するようにして設けた標識杭では、図７に示したような、四角板１１の一角部を除くようにして四辺側部に杭本体１の面取り部１ｃを形成する傾斜凸型１２ａを設け、四角板１１の中央に、前記傾斜凸型１２ａを設けていない角部に対向するようにして標識２を形成する凸型１２ｂを設けた底型１２を用意する。そして、図８に示したように、保護部材３の食い込み部７を底型１２内方に向けて、この底型１２の傾斜凸型１２ａを設けていない角部に、保護部材３の折曲板６の上辺部６ａを当接させる。次に、杭本体１の側部面１ｂを形成する四角筒型１３を、前記底型１２の四角板１１の四辺側部に接触するようにして、この底型１２に被せる。そこで、前記四角筒型１３にコンクリートを流し込んで固化させ、型抜きすれば、図５に示したような標識杭を製作することができる。
【００１９】
なお、前記したこの発明の標識杭の製作方法は、縦型方式について説明したが、横型方式で製作することもできる。
【００２０】
すなわち、この発明の標識杭の製作方法は、図４、８に示したような四角筒型１３を使用することなく、略四角柱形状の凹型（図示せず）を横方向に形成し、この凹型に前記保護部材３を底型１２を組み込み、コンクリートを流し込んで固化させ、型抜きすれば、同様な標識杭を製作することができる。
【００２１】
さらに、この発明の標識杭の製作方法は、前記縦型方式、横型方式に限らず、その他適宜の方式で製作することも可能である。また、前記縦型方式、横型方式において、一個ずつ型を形成するのではなく、複数個の型を連続して形成し、複数個の標識杭を同時に製作することもできる。
【００２２】
【発明の効果】
この発明の標識杭は、以上に述べたように、杭本体をコンクリート製としているため製造コストが易くつき、量産もし易くなり大量生産に向いたものとなるという利点を維持しつつ、標識の先端部の前方位置にあたる杭本体の側部面に保護部材を設けたものとしているので、その杭本体の側部面が欠け難いものとなり、標識が欠けてしまうようなことはなくなり、境界等が確認できなくなったり、不明瞭となってしまうことがないものとなる。
【図面の簡単な説明】
【図１】この発明の標識杭の一実施形態を示す一部省略斜視図である。
【図２】図１に示すこの発明の標識杭に設ける保護部材の斜視図である。
【図３】図１に示すこの発明の標識杭の製作に使用する底型の斜視図である。
【図４】図１に示すこの発明の標識杭の製作方法を示す説明図である。
【図５】この発明の標識杭の他の実施形態を示す一部省略斜視図である。
【図６】図５に示すこの発明の標識杭に設ける保護部材の斜視図である。
【図７】図５に示すこの発明の標識杭の製作に使用する底型の斜視図である。
【図８】図５に示すこの発明の標識杭の製作方法を示す説明図である。
【図９】従来の標識杭の一例を示す斜視図である。
【図１０】図９に示す従来の標識杭の連結部材を取り外した状態の斜視図である。
【図１１】従来の標識杭の他の例を示す斜視図である。
【図１２】図１１に示す従来の標識杭の連結部材を取り外した状態の斜視図である。
【符号の説明】
１  杭本体
１ａ  頭部上面
１ｂ  側部面
２  標識
２ａ  先端部
３  保護部材
【要約】【課題】杭本体をコンクリート製にした場合に、その杭本体の頭部上面に設けた標識の先端部の前方位置にあたる部分が欠け難いものとし、標識が欠けることなく、境界等が確認できなくなったり、不明瞭となってしまうことのない標識杭を提供する。
【解決手段】コンクリート製とした杭本体１の頭部上面１ａに標識２を設けたものとし、この標識２の先端部２ａの前方位置にあたる杭本体１の側部面１ｂに保護部材３を設けたものとしている。そして、前記杭本体１を略四角柱形状とし、前記標識２の先端部２ａを頭部上面１ａの一辺に対向するようにして設けたものとしたり、その先端部２ａを頭部上面１ａの角部に対向するようにして設けたものとしている。
【選択図】        図１【図１】
0003608203.tif 000002
【図２】
0003608203.tif 000003
【図３】
0003608203.tif 000004
【図４】
0003608203.tif 000005
【図５】
0003608203.tif 000006
【図６】
0003608203.tif 000007
【図７】
0003608203.tif 000008
【図８】
0003608203.tif 000009
【図９】
0003608203.tif 000010
【図１０】
0003608203.tif 000011
【図１１】
0003608203.tif 000012
【図１２】
0003608203.tif 000013